(57)【要約】      （修正有）【課題】故障安全性が改善されたバリスタ部品を提供する。【解決手段】第１の外部コンタクトＥＣ１及び第２の外部コンタクトＥＣ２と、第１の外部コンタクトＥＣ１に電気的に接続されたバリスタＶと、バリスタＶと第２の外部コンタクトＥＣ２との間の経路Ｐと、シャッタＳＨ及び感熱素子ＨＳＥを有する能動的な開放装置ＡＲＤと、を備えるバリスタ部品ＶＣであって、感熱素子ＨＳＥは、異常動作条件下においてシャッタＳＨを開放し、シャッタＳＨは、バリスタＶと第２の外部コンタクトＥＣ２との間の経路Ｐを閉じる。【選択図】図１
2020161832.tif 000002
【特許請求の範囲】
【請求項１】
第１の外部コンタクト（ＥＣ１）及び第２の外部コンタクト（ＥＣ２）と、
前記第１の外部コンタクト（ＥＣ１）に電気的に接続されたバリスタ（Ｖ）と、
前記バリスタ（Ｖ）と前記第２の外部コンタクト（ＥＣ２）との間の経路（Ｐ）と、
シャッタ（ＳＨ）及び感熱素子（ＨＳＥ）を有する能動的な開放装置（ＡＲＤ）と、を備えるバリスタ部品（ＶＣ）であって、
前記感熱素子（ＨＳＥ）は、異常動作条件下において前記シャッタ（ＳＨ）を開放し、前記シャッタ（ＳＨ）は、前記バリスタ（Ｖ）と前記第２の外部コンタクト（ＥＣ２）との間の前記経路（Ｐ）を閉じ、
第３の外部コンタクト（ＥＣ３）を更に備え、異常動作条件下において、感熱素子（ＨＳＥ）が、前記第２の外部コンタクト（ＥＣ２）を前記第３の外部コンタクト（ＥＣ３）に、電気的に接続し、
前記感熱素子（ＨＳＥ）は、前記経路（Ｐ）に配置され、前記バリスタ（Ｖ）と前記第２の外部コンタクト（ＥＣ２）との間の電気的な接続を構築する、
バリスタ部品（ＶＣ）。
【請求項２】
前記感熱素子（ＨＳＥ）は、フューズであり、２３０℃未満の融点を持つ導電材料を有する、請求項１に記載のバリスタ部品（ＶＣ）。
【請求項３】
前記シャッタ（ＳＨ）に力を印加するスプリング（ＳＰ）を更に備える、請求項１又は２に記載のバリスタ部品（ＶＣ）。
【請求項４】
第１の開口（Ｈ１）を有するハウジング（ＨＯＵ）を更に備え、
前記シャッタ（ＳＨ）は、前記第１の開口（Ｈ１）に隣接して配置される第２の開口（Ｈ２）を有し、
前記第１の開口（Ｈ１）及び前記第２の開口（Ｈ２）は、前記経路（Ｐ）の一部分を構築し、
前記感熱素子（ＨＳＥ）は、前記第１の開口（Ｈ１）及び前記第２の開口（Ｈ２）を通り抜けて延在し、前記バリスタ（Ｖ）を前記第２の外部コンタクト（ＥＣ２）に、電気的に接続する金属体である、請求項１乃至３のいずれか１項に記載のバリスタ部品（ＶＣ）。
【請求項５】
前記シャッタ（ＳＨ）は、ハブ（ＨＵ）を有し、
前記ハウジング（ＨＯＵ）は、前記ハブ（ＨＵ）に配置されたピボット（ＰＶ）を有し、
異常動作条件下において、前記シャッタ（ＳＨ）は、前記ピボット（ＰＶ）の周りを回転して前記経路（Ｐ）を閉じる、請求項４に記載のバリスタ部品（ＶＣ）。
【請求項６】
前記ハウジング（ＨＯＵ）は、第１のピン（Ｐ１）を有し、
前記シャッタ（ＳＨ）は、第１のピン（Ｐ１）を有し、
前記スプリング（ＳＰ）は、前記シャッタ（ＳＨ）の前記第１のピン（Ｐ１）及び前記ハウジング（ＨＯＵ）の前記第１のピン（Ｐ１）にトルクを印加する、請求項３に記載のバリスタ部品（ＶＣ）。
【請求項７】
前記第１の外部コンタクト（ＥＣ１）、前記第２の外部コンタクト（ＥＣ２）、及び前記第３の外部コンタクト（ＥＣ３）は、リード線である、請求項１乃至６のいずれか１項に記載のバリスタ部品（ＶＣ）。
【請求項８】
前記シャッタ（ＳＨ）は、熱可塑性のプラスチック又はセラミックからなる材料を備える、請求項１乃至７のいずれか１項に記載のバリスタ部品（ＶＣ）。
【請求項９】
キャップ（Ｃ）を更に備え、
前記シャッタ（ＳＨ）及び感熱素子（ＨＳＥ）は、空洞（ＣＡＶ）の中に配置され、前記キャップ（Ｃ）は、前記空洞（ＣＡＶ）を覆う、請求項１乃至８のいずれか１項に記載のバリスタ部品（ＶＣ）。
【請求項１０】
前記シャッタ（ＳＨ）は、異常動作条件下において、バリスタ部品の向きとは独立に、経路（Ｐ）を閉じるために用意される、請求項１乃至９のいずれか１項に記載のバリスタ部品（ＶＣ）。
【請求項１１】
前記シャッタ（ＳＨ）は、能動的に前記経路（Ｐ）を閉じて、前記バリスタ（Ｖ）を前記第２の外部コンタクト（ＥＣ２）から電気的に分離する、異常動作条件下において請求項１乃至１０のいずれか１項に記載のバリスタ部品（ＶＣ）を保護する方法。
【発明の詳細な説明】
【技術分野】
【０００１】
本発明は、故障安全性を高めたバリスタ部品に関し、異常動作時のバリスタ部品を保護する方法に関する。
【背景技術】
【０００２】
バリスタ部品は、その部品に印加された電圧に依存する電気抵抗を有する電気部品である。その抵抗値は印加電圧の増加にしたがって、減少させることができる。バリスタ部品は、通常動作条件の電圧がその部品に印加されるときは、ｋΩ、ＭΩ、又はＧΩの範囲の抵抗値を有することができる。印加電圧が限界値を超えたとき、部品の抵抗値は数オームの範囲まで低下してよい。
【０００３】
このようなバリスタ部品は、回路内の補償素子として、又は過電圧に対して敏感な回路を保護するために利用することができる。保護装置として使用する時は、バリスタ部品は、回路と接地電位の間に電気的に接続することができ、損傷させる可能性がある電力を短絡させることができる。
【０００４】
その結果、バリスタ部品が高電圧において低抵抗になったときに、バリスタ部品内で消散される電力が限界値を超えるかもしれない。そして、消散される電力は、バリスタ部品を破壊することができ、又、バリスタ部品を有する電気デバイス全部を含む電気回路全体をも破壊することができる。限界電圧条件を超えたときは、バリスタ部品が発火することさえ、あるかもしれない。
【０００５】
特許文献１では、いくつかの保護された金属酸化物バリスタ部品が知られている。バリスタ部品はフューズを備え、通常動作条件ではなくなった時に、絶縁された間隙を生じさせることができる。
【０００６】
特許文献２では、更なる保護された金属酸化物バリスタ部品が知られている。この文献もまた、通常動作条件ではなくなった時の更なる損傷を防止すべく、回路を開放するフューズが利用される。
【先行技術文献】
【特許文献】
【０００７】
【特許文献１】米国特許出願公開第２００１／００５５１８７号明細書。
【特許文献２】米国特許出願公開第２００９／００２７１５３号明細書。
【発明の概要】
【発明が解決しようとする課題】
【０００８】
しかしながら、フューズを構築するための融解可能材料を有する公知のバリスタ部品は、フューズ材料の溶融後の電気的な接続を保証することができない。特に、バリスタ部品の向き、又は部品が加速度下にある周囲環境条件において、もしくは、フューズ材料がどこに流れるか不明な場所においては、電気的な接続を保持してしまう危険がある。
【０００９】
本発明が目的とするところは、安全性が改善されたバリスタ部品を提供することである。特に、本発明が目的とするところは、異常動作条件下で開放回路を得られる確率を改善し、フューズ材料が電気的接触を保持する確率を減少させるバリスタ部品を提供することである。
【００１０】
更に、本発明が目的とするところは、通常動作条件を超えたときに、バリスタ部品を保護する方法を提供することである。
【００１１】
従って、独立請求項によるバリスタ部品及びバリスタ部品を保護する方法が提供される。従属請求項はより有利な実施形態を提供する。
【課題を解決するための手段】
【００１２】
バリスタ部品は、第１の外部コンタクトと第２の外部コンタクトとを備える。更に、このバリスタ部品は、その第１の外部コンタクトと電気的に接続されたバリスタを備える。当該部品は、バリスタと第２のコンタクトの間の経路を更に有する。更に、バリスタ部品は、シャッタ及び感熱素子を含む能動的な開放装置を有する。この感熱素子は、異常動作条件下でシャッタを開放し、当該シャッタは、バリスタと第２の外部コンタクトの間の経路を閉じる。
【００１３】
上記バリスタは、例えば、金属酸化物バリスタであり、いかなる種類のバリスタとすることもできる。
【００１４】
第１の外部コンタクト及び第２の外部コンタクトは、例えば、接地電位と高感度な電気回路の間の、高電圧パルスからこの高感度な電気回路を保護するための短絡素子のように、バリスタ部品を外部回路環境へ電気的に接続するために提供される。
【００１５】
バリスタ及び第２の外部コンタクトの間の経路は、異常動作条件下で、それぞれの電圧がバリスタに印加されているときに、第１の外部コンタクト及び第２の外部コンタクトの間に電流を流すべき経路である。バリスタと、そのバリスタ及び第２の外部コンタクトの間の経路は、電気的に直列に接続される。
【００１６】
能動的な開放装置は、シャッタ及び感熱素子が提供され、開放装置が能動装置であることにより、上記の引用されたバリスタ部品から、本願のバリスタ部品を識別する。そこでは、フューズの融解材料を有害ではない部分で凝結させることに頼る必要はない。開放装置はシャッタを能動的に閉じて、好ましくは、バリスタと第２の外部コンタクトとのガルバニック接続を回避する。
【００１７】
各々のバリスタ部品について、例えば、周知の仕様が満たされる、通常の動作条件が定義される。感熱素子は、そのような方法で構築され、そして、その材料、特に材料の融点は、定義された通常動作条件を超えたときの方法で選定される。シャッタは、バリスタと第２の外部コンタクトの間の経路を閉じ、好ましくは、凝結された材料のその後の固定位置とは無関係であり、閉じられた経路は、更なる電流を防止し、バリスタと第２の外部コンタクトとの間をガルバニック的に分離する。
【００１８】
開放装置を作動するための、通常動作条件と異常動作条件の間の境界値は、ＵＬ規格１４４９、第３９．４節、制限電流異常過電圧試験、２０１５年１月１日有効、を参照することができる。
【００１９】
そこでは、経路に配置された感熱素子が、バリスタと第２の外部コンタクトとの間の電気的な接続を構築することが可能である。
【００２０】
そして、経路を閉じて、バリスタを第２の外部コンタクトと電気的に分離することにより、バリスタは外部回路環境から電気的に切り離され、更なる電力の消散はできなくなり、バリスタ部品が発火する危険性は著しく低下する。
【００２１】
しかしながら、通常の動作条件の間、感熱素子はバリスタと第２の外部コンタクトとの間の電気的な連結部として動作し、バリスタ部品のバリスタが、対応する外部回路環境保護する保護素子として機能するように、バリスタと、第２の外部コンタクトに接続されてよい外部回路環境と、を結合する。
【００２２】
感熱素子は、選択された温度以下では固体であり、境界温度以上で融解、すなわち液化する。感熱素子の相転移を引き起こす加熱は、無限小ではないオーミック抵抗値を有する感熱素子内でのエネルギー消費により、生じさせることができる。しかしながら、それも又、あるいは付加的に、感熱素子が、その感熱素子に物理的に近接して配置されたバリスタが発生させる熱により反応することを可能とする。更に、バリスタ部品が、異常動作条件に達したときに、感熱素子を融解させる熱を発生させるオーミック抵抗器のような、付加的な熱消散素子を含むことを可能とする。
【００２３】
このように、感熱素子は、２３０℃以下の融点の導電材料を有するフューズとすることができる。
【００２４】
特に、感熱素子は、対応する融点を有する半田を備えることができる。好ましい融点は、１８５℃から２０５℃の間とすることができる。好ましい関連材料の組成は、ＳｎＢｉＡｇやＳｎＢｉＡｇＩｎ、又は他のＳｎＢｉ合金のような、ＳｎＢｉ合金の半田ペーストである。
【００２５】
バリスタ部品は、更にスプリングを備えることができる。このスプリングは、シャッタに力を印加する。
【００２６】
通常動作条件下では、スプリングは張力をもってバリスタ部品の内部に配置される。感熱素子は、通常動作条件下では固体であり、シャッタを固定している。このように、スプリングが、シャッタを閉じるために押圧しても、固体である感熱素子がシャッタの開放を維持し、バリスタと第２の外部コンタクトとの電気的な接続を確立しする。
【００２７】
感熱素子近傍の温度があらかじめ決められたしきい値に到達したとき、感熱素子は液相へ転移され、スプリングの押圧力に更に耐えることができなくなる。このことから、感熱素子が融解した瞬間に、シャッタはスプリングにより閉位置に動かされ、バリスタと第２の外部コンタクトとの間のガルバニック分離が得られる。
【００２８】
従来のバリスタ部品では、フューズ材料を置換するために重力エネルギーが利用されており、これは、融解した材料が流れ去ることができなかった場合、全く置換されないかもしれない。これと対比すると、本バリスタ部品の開放装置の機能は、実質的に常時、いずれの位置でも保証され、且つ開放装置の動作速度は大幅に減少する。
【００２９】
バリスタ部品は、第１の開口を有するハウジングを備えることができる。シャッタは、通常動作条件の間は第１の開口に隣接して配置される、第２の開口を有する。第１の開口及び第２の開口は、バリスタと第２の外部コンタクトとの間の経路の一部分を構築する。感熱素子は、例えばボルト状又は円筒形の金属体であり、第１の開口及び第２の開口を通って延在する。
【００３０】
感熱素子は、ハウジングの上記開口の内壁面、シャッタの開口の内壁面、及び第２の外部コンタクトと電気的に接続された導電部分と直接接触させることができる。感熱素子は、スプリングにより駆動されるシャッタを固定する。境界温度に達したときに感熱素子は融解し、スプリングの押下力に耐えられなくなり、シャッタは、シャッタの誘電材料がハウジング全体を閉じるように、ハウジングの開口に対して移動、すなわち平行移動又は回転される。
【００３１】
シャッタはハブを有することができる。ハウジングは、ハブが配置されるピボットを有する。異常動作条件下では、シャッタはピボットの周りを回転し、経路を閉じる。
【００３２】
シャッタは、フューズを切断し、一度、開放装置が動作したらバリスタと第２の外部コンタクトとのいかなる電気的な接続も妨げて防ぐために、決められた角度で回転される。シャッタが回転することは、ハウジングのピボットを囲んでいるハブが、その周りを回転することであり、シャッタのための複雑な誘導軌道を必要としない利点がある。複雑な誘導軌道を必要としないこと、及びシャッタが１本の軸の周りを回転することは、シャッタが誘導軌道の中で動かなくなる危険性を減少させる。
【００３３】
ハウジングは第１のピンを有し、シャッタは第１のピンを有し、スプリングはシャッタ及びハウジングのそれぞれの第１のピンにトルクを印加する。
【００３４】
このように、ハウジングとシャッタのそれぞれの第１ピンは、力、例えばトルクを印加できるように、ハウジング及びシャッタに固く接続された部品であり、スプリングは、その関連する部分で支持される。
【００３５】
スプリングは、コイルスプリングやスパイラルスプリングとすることができる。
【００３６】
バリスタ部品は、第３の外部コンタクトをさらに備えることができる。通常動作条件下では、第３の外部コンタクトは、第１の外部コンタクト及び第２の外部コンタクトと電気的に分離されている。通常動作条件の範囲から外れて開放装置が動作したときは、シャッタが、経路から感熱素子の材料を除去することができる。このとき、感熱素子の材料は、第１の外部コンタクト及びバリスタが第２の外部コンタクト及び第３の外部コンタクトから電気的に分離される一方で、まだ、第２の外部コンタクトと第３の外部コンタクトの電気的な接続を確立するように除去される。第２の外部コンタクトと第３の外部コンタクトの電気的な接続が提供されることにより、回路環境のインジケータ、例えばＬＥＤが、開放装置の作動を指し示し、且つ開放装置の作動を起動する外部回路環境のエラーを指し示すために点灯することができる。
【００３７】
第１の外部コンタクト、第２の外部コンタクト及び第３の外部コンタクトは、バリスタ部品のハウジングから延在するリード線で配線することができる。
【００３８】
シャッタは、熱可塑性のプラスチック又はセラミックからなる材料を備えることができる。
【００３９】
シャッタは、温度が高い程、低導電性で高抵抗になる材料を備えることが好ましい。
【００４０】
バリスタ部品は、更にキャップを備えることができる。シャッタ及び感熱素子は空洞に配置され、キャップがその空洞を覆う。
【００４１】
そして、シャッタを素早く作動し、改善された故障安全性を有するバリスタ素子を可能とするバリスタ部品の内部機構が、周囲環境の影響から保護される。更に、感熱素子の融解し熱い材料は空洞から除去することができないことは、バリスタ部品の周囲環境を害する。
【００４２】
シャッタは、異常動作条件下で、バリスタ部品の向きとは独立に、そして部品に印加された加速条件とは独立に、経路を閉じるために用意することができる。
【００４３】
ハウジング、キャップ及びシャッタの材料は、２３０℃以上の温度において高抵抗となる誘電材料とすることができる。特に、ハウジング及びシャッタは、ＡＬＣＰ(Aromatic Liquid Cristal Polymer)を備える、又は、からなる、ことができる。スプリングは、鋼鉄を備える、又は、からなる、ことができる。外部コンタクトは、Ｃｕ(copper)やＡｇ(silver)を備える、又は、からなる、ことができる。バリスタは、概ね１１００℃で焼結された酸化亜鉛からなる板状バリスタとすることができる。
【００４４】
ハウジングは、直径１５ｍｍ、１９ｍｍ、２０ｍｍ，２６ｍｍ又は２６ｍｍを超える大きさの円筒形を有することができる。ハウジングの厚さは、概ね７ｍｍとすることができる。シャッタは、ベル形の断面を有することができ、厚さは概ね０．８ｍｍとすることができる。
【００４５】
通常動作と異常動作との間の電圧のしきい値は、熱発生、及び、部品の材料及び寸法に依存する。
【００４６】
第２の外部コンタクトは、棒状の本体とボルト形の頭部を有することができる。棒状の本体は、外部回路環境との接続のために提供される。ボルト形頭部は感熱素子との接続を提供する。ボルト形頭部は、本体部分の厚さよりも、大きい又は少しだけ大きい厚さを有することができる。
【００４７】
上述の通り、バリスタ部品を保護する方法は、能動的に経路を閉じ、電気的にバリスタと第２の外部コンタクトとを分離するシャッタを有する。
【００４８】
バリスタ部品、部品の動作原理、及び好ましい実施形態は、概要図と共に示される。
【図面の簡単な説明】
【００４９】
【図１】図１は、バリスタ部品の動作原理を示す図である。
【図２】図２は、シャッタの開口が、開放装置が作動したときにマスクの開口と関連して動く実施形態を示す図である。
【図３】図３は、シャッタの開口が、開放装置が作動したときにマスクの開口と関連して動く実施形態を示す図である。
【図４】図４は、円筒形ハウジングの実施形態の全体像を示す図である。
【図５】図５は、第３の外部コンタクトの実施形態の全体像を示す図である。
【図６】図６は、シャッタの移動を制限するために、シャッタの停止を構築する第２のピンを有するハウジングの実施形態を示す図である。
【図７】図７は、開放装置の機構を含むハウジングと、関連するバリスタの向きを示す実施形態の斜視図である。
【図８】図８は、バリスタ部品、特に開放装置の分解組立図である。
【図９】図９は、バリスタ後部の全体像及びその第１の外部コンタクトとの電気的な接続を示す図である。
【図１０】図１０は、第１の外部コンタクトが、バリスタ後部の半田付けされた実施形態を示す図である。
【図１１】図１１は、回転するタイプのシャッタの動作原理を示す図である。
【図１２】図１２は、回転するタイプのシャッタの動作原理を示す図である。
【図１３】図１３は、第３の外部コンタクトの動作原理を示す図である。
【図１４】図１４は、第３の外部コンタクトの動作原理を示す図である。
【発明を実施するための形態】
【００５０】
図１は、バリスタ部品ＶＣの基本動作原理を示す。バリスタ部品ＶＣは、バリスタＶ、第１の外部コンタクトＥＣ１、及び第２の外部コンタクトＥＣ２を有する。通常動作条件下において、バリスタＶは、第１の外部コンタクトＥＣ１と第２の外部コンタクトＥＣ２との間に、電気的に直列に接続されている。感熱素子ＨＳＥは、バリスタＶと第２の外部コンタクトＥＣ２との間に電気的に接続され、矢印で示された経路Ｐに配置される。バリスタ部品ＶＣは、能動的な開放装置ＡＲＤの一部としてのシャッタＳＨを更に有する。
【００５１】
通常動作条件下では、感熱素子ＨＳＥは固体であり、バリスタＶを第２の外部コンタクトＥＣ２に電気的に接続する。しかしながら、感熱素子ＨＳＥの温度が、あらかじめ決められた限度を超えると、感熱素子ＨＳＥは融解し、シャッタＳＨは能動的に経路Ｐを閉じ、バリスタＶを第２の外部コンタクトＥＣ２から電気的に分離する。シャッタＳＨは、スプリングＳＰにより駆動される。
【００５２】
シャッタＳＨが、能動的に駆動されることは、バリスタ部品の閉鎖の応答時間を減少させ、バリスタ部品の信頼性を向上する。
【００５３】
図２及び図３は、バリスタ部品が、マスクＭに第１の開口Ｈ１、シャッタＳＨに第２の開口Ｈ２を有する実施形態の動作原理を図解する。感熱素子ＨＳＥは、電流経路Ｐを構築するために２つの開口内に配置される。開放装置が作動したとき（図３）、感熱素子ＨＳＥは融解し、スプリングＳＰの力に耐えることができなくなる。従って、シャッタは移動し、シャッタの開口Ｈ２はマスクＭの開口Ｈ１に対して相対的に移動し、第２の外部コンタクトからのバリスタＶの電気的に分離するように経路Ｐは塞がれる。
【００５４】
シャッタＳＨの、例えば開口が無い部分は、融解した感熱素子ＨＳＥの残渣が、バリスタＶと第２の外部コンタクトＥＣ２の電気的な接続を残さないようにマスクＭの開口は完全に閉じる。
【００５５】
図４は、マスク及びシャッタが、感熱素子ＨＳＥの残渣が電気的な接続を維持する可能性があるような幾何学的な形状を有する実施形態を示す。バリスタ部品ＶＣは、能動的な開放装置の機構の構成部品が配置されるハウジングＨＯＵを有する。ハウジングＨＯＵは主に円筒形を有する。
【００５６】
ハウジングＨＯＵの後側は、図３に図示したマスクＭを構築する。シャッタはベル形の接地面と第１のピンＰ１を有する。ハウジングＨＯＵもまた第１のピンＰ１を有し、ハウジングＨＯＵの第１のピンＰ１とシャッタの第１のピンＰ１は、スプリングＳＰを支持する。このスプリングＳＰは、コイルスプリング又はスパイラルスプリングでもよい。更に、ハウジングＨＯＵは、シャッタＳＨが回転することができる軸を構築するピボットＰＶを有する。
【００５７】
感熱素子ＨＳＥは、主に円筒形であり、ハウジング及びシャッタＳＨの開口Ｈ１の内壁面と機械的に接触し、第２の外部コンタクトＥＣ２と電気的に接続された配線と接触する。感熱素子ＨＳＥが固体の間は、その素子は、ハウジングＨＯＵの開口Ｈ１を直接覆うシャッタの開口Ｈ２を、シャッタの開位置に保持する。感熱素子ＨＳＥは、バリスタ（図４に示さず、しかしハウジングＨＯＵのすぐ向こう側に配置される）及び第２の外部コンタクトの間の電気的な接触を確立する。
【００５８】
感熱素子ＨＳＥの温度が、境界温度を超えると、感熱素子ＨＳＥは融解し、そしてスプリングＳＰは、シャッタＳＨのピンＰ１に印加されている、シャッタＳＨを反時計回りに回転させようとする力によって、シャッタＳＨを回転させる。
【００５９】
第２の外部コンタクトは、棒状の本体と、棒状の本体よりも太いボルト形の頭部を有することができる。そのボルト形の頭部は、感熱素子ＨＳＥに接続されるための長方形の断面を有することができる。
【００６０】
図５は、バリスタ部品ＶＣが、ハウジングＨＯＵの空洞内の金属に電気的に接続する第３の外部コンタクトＥＣ３を有する実施形態を示す。通常動作条件下では、第３の外部コンタクトＥＣ３は、第１の外部コンタクトＥＣ１及び第２の外部コンタクトＥＣ３電気的に分離されている。しかしながら、一度、感熱素子ＨＳＥが融解すると、能動的な開放装置ＡＲＤの作動を外部回路環境へ示すために、その残渣が第３の外部コンタクトＥＣ３を第２の外部コンタクトＥＣ２に電気的に接続することができる。
【００６１】
図６は、ハウジングＨＯＵが、シャッタＳＨの停止位置を画定する第２のピンＰ２を有する更なる実施形態を示す。
【００６２】
図７は、能動的な開放装置ＡＲＤの機構の構成部品を含むハウジングＨＯＵに対するバリスタＶの位置を指し示す、バリスタ部品の斜視図を示す。バリスタＶはハウジングＨＯＵの後側に配置されている。バリスタＶもまた、円筒形を有することができ、その円筒形の一方の側が、バリスタ部品のハウジングＨＯＵの方を向き、第２の外部コンタクトが電流経路Ｐを通して電気的に接続できる。
【００６３】
第１の外部コンタクトＥＣ１は、バリスタのハウジングＨＯＵから離れる側の後面と電気的に接続される。
【００６４】
図８は、構造に注目した能動的な開放装置の機構の主要な部品及び対応する実施形態の動作原理を示す分解組立図である。
【００６５】
ハウジングＨＯＵは、その中にハウジングＨＯＵの第１のピンＰ１がある空洞ＣＡＶを有し、ハウジングＨＯＵのピボットＰＶが、ハウジングの後面から延在する。ベル形のシャッタＳＨは、ハブＨＵとして機能する開口及び通常モードの間は経路の一部分を構築する開口Ｈ２を有する。更に、シャッタＳＨは、スプリングを支持する第１のピンＰ１を有する。通常動作の間は、ハブＨＵは、ハウジングＨＯＵのピボットＰＶを取り囲んでおり、シャッタＳＨは、ピボットＰＶを介して対応する軸の周りを回転することができる。スプリングＳＰは、シャッタのピンＰ１を介してシャッタＳＨのトルクを印加するために、ハウジングＨＯＵの第１のピンＰ１を用いる。
【００６６】
感熱素子ＨＳＥは、ハウジングＨＯＵの開口及びシャッタＳＨの開口Ｈ２に配置されている。更に、感熱素子ＨＳＥは、バリスタＶのハウジングＨＯＵの方を向いている側で、第２の外部コンタクトＥＣ２のフック形の導電体部分と電気的に接続する。空洞ＣＡＶは、周囲環境の影響から機構を保護するために、そして感熱素子ＨＳＥの融解した材料に対して周囲環境から保護するために、キャップＣで覆われている。
【００６７】
図９は、バリスタＶと外部接続ＥＣ１の導電体の電気的な接続を確立するその後面に取り付けられた配線ＷとバリスタＶの後面を示す。
【００６８】
図１０は、配線ＷがバリスタＶの後面に、機械的に且つ電気的に半田を用いて接続された、バリスタＶの後面の好ましい実施形態を示す。
【００６９】
図１１及び図１２は、シャッタＳＨが、図１１の通常動作位置にあるとき、及び図１２の作動した位置にあるときの動作原理を図示したものである。通常動作位置では、ハウジングＨＯＵの開口Ｈ１及びシャッタＳＨの開口Ｈ２が直接重なるように配置され、バリスタと第２の外部コンタクトとの間の経路は開放されている。
【００７０】
能動的な開放装置が作動された後、シャッタＳＨは、ハブＨＵの周りを反時計回りの方向に、シャッタＳＨは、シャッタＳＨが停止位置として画定される第２のピンＰ２の当たるまで、回転する。シャッタＳＨの開口Ｈ２は、シャッタＳＨにより経路が閉じられたままになるように、ハウジングＨＯＵの開口Ｈ１から相対的に移動する。
【００７１】
図１３及び図１４は、第３の外部コンタクトＥＣ３の基本原理を図示したものである。感熱素子ＨＳＥがバリスタを第２の外部コンタクトＥＣ２の接続する位置にあるような通常動作の間、第３のコンタクトＥＣ３は、他の２つの外部コンタクトＥＣ１、ＥＣ２と電気的に分離されている。図１４は、作動後の状況を図示したものである。感熱素子ＨＳＥの材料は、その元々の位置から除去されている。バリスタと第２の外部コンタクトＥＣ２の間の経路は閉じられ（開放回路）、感熱素子ＨＳＥの材料は、第２の外部コンタクトＥＣ２を第３の外部コンタクトＥＣ３の電気的に接続する。
【００７２】
バリスタ部品、追加のシャッタ、フューズ、スプリング、電気的な接続、及び、例えば長方形の基礎形状とする、ポリゴン形状のハウジングのような追加部品を有することができる。シャッタは、回転シャッタ、又は平行移動するシャッタとすることができる。
【符号の説明】
【００７３】
ＡＲＤ  能動的な開放装置
Ｃ      キャップ
ＣＡＶ  空洞
ＥＣ１  第１の外部コンタクト
ＥＣ２  第２の外部コンタクト
ＥＣ３  第３の外部コンタクト
Ｈ１    第１の開口
Ｈ２    第２の開口、シャッタの開口
ＨＯＵ  ハウジング
ＨＳＥ  感熱素子
ＨＵ    ハブ
Ｍ      マスク
Ｐ      経路
Ｐ１    第１のピン（スプリングＳＰを支持するための）
Ｐ２    第２のピン（ハウジングＨＯＵの）
ＰＶ    ピボット
Ｓ      半田
ＳＨ    シャッタ
ＳＰ    スプリング
Ｖ      バリスタ
ＶＣ    バリスタ部品
Ｗ      配線
【図１】
2020161832.tif 000003
【図２】
2020161832.tif 000004
【図３】
2020161832.tif 000005
【図４】
2020161832.tif 000006
【図５】
2020161832.tif 000007
【図６】
2020161832.tif 000008
【図７】
2020161832.tif 000009
【図８】
2020161832.tif 000010
【図９】
2020161832.tif 000011
【図１０】
2020161832.tif 000012
【図１１】
2020161832.tif 000013
【図１２】
2020161832.tif 000014
【図１３】
2020161832.tif 000015
【図１４】
2020161832.tif 000016
【外国語明細書】
2020161832000001.pdf